(57)【特許請求の範囲】
【請求項１】
４方向のタッチキーを有するナビゲーションキーを有し、前記４方向のタッチキーはシート状にし、このタッチキーの一部が、液晶表示装置の一部と上下に重なり合って配置され、前記ナビゲーションキーは、薄膜状の導電コネクタが４つのパートにそれぞれ形成された下部のシートと、この下部のシート側の面に、前記４つのパートにそれぞれ対応する部分に導電性の膜を塗布した中間部のシートと、前記中間部のシート側の面に、前記導電性の膜に対応する部分に凸部を形成した上部のシートとで構成され、前記下部のシート及び前記中間部のシートの各中央部にそれぞれ穴部を設け、この穴部からボタンスイッチが挿入されることを特徴とするタッチキー付き電話機。
【請求項２】
前記ナビゲーションキーは、逆三角形状のモジュールで形成されたことを特徴とする請求項１記載のタッチキー付き電話機。
【請求項３】
前記モジュールは、金属導電膜が相互に噛み合うように櫛歯形の接点部が、４つのパートに分けて形成された下部のシートと、この下部のシート側の面に、前記接点部に対応する部分に炭素皮膜を塗布した中間部のシートと、アクティブウレタンゴムからなり、前記中間部のシート側の面に、前記炭素皮膜に対応する部分に凸部を形成した上部シートとで構成されることを特徴とする請求項２記載のタッチキー付き電話機。
【請求項４】
前記下部のシートは前ケースに糊付けされ、前記中間部のシート及び前記上部のシートは糊付けされた前記下部のシートに糊付けされて形成されることを特徴とする請求項１乃至３記載のタッチキー付き電話機。
【請求項５】
前記上部のシートが、前記中間部のシート及び前記ボタンスイッチを覆うことを特徴とする請求項１乃至４記載のタッチキー付き電話機。
【発明の詳細な説明】
【０００１】
【発明の属する技術分野】
本発明は、タッチキー付き電話機に関し、特に携帯電話機又はＰＨＳのナビゲーションキーについて、その中央（センター）キーを除いた４方向の方向キーは、シート状のタッチキーを配置してスクロールキーとし、液晶表示装置取付部のスペースを確保しうるようにしたものである。
【０００２】
【従来の技術】
従来、携帯電話機又はＰＨＳのナビゲーションキーについては、ダイヤルキーを含めすべてのキー全体がゴムシート上に載置されてその接点部にダイヤフラムが設置されるようにした構成である。
【０００３】
すなわち、図５の携帯電話機等の縦断面図に示されるように、従来のナビゲーションキーは、４方向の方向キーの一つである液晶表示装置（ＬＣＤ）51側の前方キー52は、中央キー53と同様に、ゴムシート上に載置され、その下にダイヤフラム接点が設置される構成である。ただし、図５においては、ダイヤフラム接点は図示省略されている。
【０００４】
【発明が解決しようとする課題】
しかし、従来例では前方キー側に、液晶表示素子を制御する液晶表示装置を取り付けるためのスペースを確保しなければならないため、前方キーが存在することにより、スペースファクタを稼ぐことができず、小型化、軽量化が図れないという問題があった。
【０００５】
本発明は、上記従来の問題を解決するもので、液晶表示装置取付部のスペースを確保することができるようにしたタッチキー付き電話機を提供することを目的とする。
【０００６】
【課題を解決するための手段】
上記問題を解決するために本発明の請求項１記載の発明は、４方向のタッチキーを有するナビゲーションキーを有し、前記４方向のタッチキーはシート状にし、このタッチキーの一部が、液晶表示装置の一部と上下に重なり合って配置され、前記ナビゲーションキーは、薄膜状の導電コネクタが４つのパートにそれぞれ形成された下部のシートと、この下部のシート側の面に、前記４つのパートにそれぞれ対応する部分に導電性の膜を塗布した中間部のシートと、前記中間部のシート側の面に、前記導電性の膜に対応する部分に凸部を形成した上部のシートとで構成され、前記下部のシート及び前記中間部のシートの各中央部にそれぞれ穴部を設け、この穴部からボタンスイッチが挿入されることを特徴とする。
【０００７】
このようにシートで形成したから、液晶表示装置取付部のスペースを確保することができ、それにより装置の小型化、軽量化に寄与することができる。
【００１８】
【発明の実施の形態】
以下、本発明の実施の形態について、図１から図４を用いて説明する。
【００１９】
図１は、本発明の実施の形態に係るタッチキー付き電話機の全体構成を示す正面図である。図１において液晶表示装置(ＬＣＤ)１のダイヤルキー側に設けられているのが、タッチキー２で構成されたナビゲーションキーである（但し、中央キー３は従前通り接点部がダイヤフラムで構成されるようにしたものである。）また、図２は図１においてＡ−Ａ線に沿って切断した時の同じく本発明の実施の形態に係るタッチキー付き電話機の構成を示す縦断面側面図である。また、図３は図１においてＢ−Ｂ線に沿って切断した時の同じく本発明の実施の形態に係るタッチキー付き電話機の構成を示す横断面側面図である。また、図４はタッチキーモジュールの分解構成図である。
【００２０】
図１から図４を用いて本発明の実施の形態に係るタッチキー付き電話機の構成を説明する。図２において、携帯電話機又はＰＨＳのナビゲーションキーについて、その中央キー３はプリント基板５に接点部が形成されそれにダイヤフラムが形成されるボタンスイッチであるが、その中央キー３を除外した他のナビゲーションキーはモジュールで構成されたタッチキーが用いられる。
【００２１】
図３及び図４を用いてタッチキーの構成を説明する。図３及び図４に示されるように、タッチキーモジュール６は逆三角形状の３枚のシートから構成される。
【００２２】
すなわち図４（ｃ）に示されるように、下部のシートは、それぞれが一方の電極を構成する金属導電膜が相互に噛み合うように櫛歯形にされて接点部が形成されるようにする。なお、図示されるように、アース側の金属導電膜は共通接続され、導電コネクタ部10に導かれ、さらに導電コネクタ部10への引き出し線には絶縁が施されるようになっている。
【００２３】
また、下部のシートは、図３に示されるように前ケース４の上に載置され、糊付けで固定され、さらに薄膜化された導電コネクタ部10が前ケース４の割れ目から引き出されてプリント基板（ＰＣＢ）５の孔を経由して後ケース７に取り付けられたコネクタ11に接続される。
【００２４】
また、図４（ｂ）に示されるように、中間部のシートは、上記下部のシートの接点部に対応して導電性の膜である炭素皮膜が塗布された薄膜ポリフィルムシートで構成されている。そして、炭素皮膜が塗布されない部分には糊付け部材が配置される。
【００２５】
また、図４（ａ）に示されるように、上部のシート（タッチキートップ）は、アクティブウレタンゴムからなり、上記接点部に対応する部分（図示において矢印が付されている付近）が凸に形成されており、かつ中央キーに相当する部分が一体に形成される。そして、上記中間部のシートに面する上記上部シートの周辺部は、糊付け部材が配置され、上記中間部のシート及び上記下部のシートに糊付けしうるようにする。
【００２６】
ここでタッチキー(スイッチ)の動作について簡単に説明すると、図４（ａ）において例えば上部のシート（タッチキートップ）の△部分が指によりタッチされたとすると、中間部のシートの該当部分は下部のシートの該当部分に接触して一方の電極から他方の電極に電流が流れるようになり、これによりタッチキーとして動作することになる。
【００２７】
【発明の効果】
以上のように本発明のタッチキー付き電話機は、４方向のタッチキーを有するナビゲーションキーを有し、前記４方向のタッチキーはシート状にし、このタッチキーの一部が、液晶表示装置の一部と上下に重なり合って配置され、前記ナビゲーションキーは、薄膜状の導電コネクタが４つのパートにそれぞれ形成された下部のシートと、この下部のシート側の面に、前記４つのパートにそれぞれ対応する部分に導電性の膜を塗布した中間部のシートと、前記中間部のシート側の面に、前記導電性の膜に対応する部分に凸部を形成した上部のシートとで構成され、前記下部のシート及び前記中間部のシートの各中央部にそれぞれ穴部を設け、この穴部からボタンスイッチが挿入されることを特徴としたものである。
【００２８】
このようにシートで形成したから、液晶表示装置取付部のスペースを確保することができ、それにより装置の小型化、軽量化に寄与することができる。
【図面の簡単な説明】
【図１】本発明の実施の形態に係るタッチキー付き電話機の全体構成を示す正面図、
【図２】図１のＡ−Ａ線に沿って切断した時の本発明の実施の形態に係るタッチキー付き電話機の構成を示す縦断面側面図、
【図３】図１のＢ−Ｂ線に沿って切断した時の本発明の実施の形態に係るタッチキー付き電話機の構成を示す横断面側面図、
【図４】（ａ）上部のシートの構成を示す図、
（ｂ）中間部のシートの構成を示す図、
（ｃ）下部のシートの構成を示す図、
【図５】従来の５方向のナビゲーションキーを有する携帯電話機等の該当箇所を拡大して示した縦断面図である。
【符号の説明】
１、51  液晶表示装置(ＬＣＤ)
２  タッチキー
３、53  中央キー
４、54  前ケース
５、55  プリント基板(ＰＣＢ)
６  タッチキーモジュール(中間部のシート、下部のシート)
７  後ケース
８  ダイヤフラム
９  タッチキートップ(上部のシート)
10  導電コネクタ部
11  コネクタ
52  前方キー
【図１】
0004201065.tif 000002
【図２】
0004201065.tif 000003
【図３】
0004201065.tif 000004
【図４】
0004201065.tif 000005
【図５】
0004201065.tif 000006